(57)【要約】【課題】図柄群の仮停止時期を可変にすれば遊技媒体の止め打ち時期の判断がし難くなることに着目して、稼働率の向上を図るようにした遊技機、その図柄表示装置及び図柄表示方法を提供することを目的とする。【解決手段】副変動パターンを左図柄群、右図柄群及び中図柄群の図柄変化により変動表示している間に、左図柄群、右図柄群及び中図柄群の各停止図柄の組み合わせにより当たり或いは外れを遊技者に認識させるように、左図柄群、右図柄群及び中図柄群をその順序で上記各対応の停止図柄にてそれぞれ仮停止させて表示する。ここで、右図柄群が左図柄群の仮停止後仮停止するまでの図柄変化時間を遊技者による遊技の状態に応じて可変とする。【選択図】　　図５
2004073410.tif 000002
【特許請求の範囲】
【請求項１】
抽選実行条件を検出する抽選実行条件検出手段と、
この抽選実行条件検出手段による検出条件に基づき抽選を実行する抽選手段と、
この抽選手段による抽選結果に応じて複数の変動パターンのうち一変動パターンを決定する毎に、当該一変動パターンを複数の図柄群の各図柄変化でもって変動させ、前記複数の図柄群の各図柄変化の確定停止時における各図柄態様の当たり或いは外れとなる組み合わせにするように前記各図柄群を確定停止させることで、前記変動を終了させるように処理する変動処理手段と、
前記変動処理手段の処理毎にその処理内容を表示する表示手段とを備える遊技機において、
前記変動処理手段は、前記一変動パターンにおいて前記複数の図柄群のうち最後に仮停止する図柄群以外の図柄群であって最も遅く仮停止する図柄群（以下、一つ前図柄群という）の仮停止時を可変とするように変更処理し、
前記表示手段は、前記処理内容による表示を、前記変動処理手段による変更処理に基づき変更して行うようにしたことを特徴とする遊技機。
【請求項２】
前記一変動パターンがリーチ変動に対応するか否かを判定するリーチ変動判定手段を備えて、
前記変動処理手段は、前記変更処理を、前記リーチ変動判定手段によるリーチ変動に対応するとの判定時に行うようにしたことを特徴とする請求項１に記載の遊技機。
【請求項３】
前記抽選実行条件検出手段による検出が図柄変化の開始不能中になされる毎に新たな図柄変化の開始を保留して保留数を増大させ、この保留数を図柄変化の開始可能時毎に減少させる保留数増減手段と、
前記保留数が一定数以下か否かを判定する保留数判定手段とを備えて、
前記変動処理手段は、前記変更処理を、前記保留数判定手段による前記一定数以下との判定時に行うようにしたことを特徴とする請求項１或いは２に記載の遊技機。
【請求項４】
抽選実行条件に基づく抽選の結果に応じて複数の変動パターンのうち一変動パターンを決定する毎に、当該一変動パターンを複数の図柄群の各図柄変化でもって変動させ、前記複数の図柄群の各図柄変化の確定停止時における各図柄態様の当たり或いは外れとなる組み合わせにするように前記各図柄群を確定停止させることで、前記変動を終了させるように処理する変動処理手段と、
この変動処理手段の処理毎にその処理内容を表示する表示手段とを備える遊技機のための図柄表示装置において、
前記変動処理手段は、前記一変動パターンにおいて前記複数の図柄群のうち最後に仮停止する図柄群以外の図柄群であって最も遅く仮停止する図柄群（以下、一つ前図柄群という）の仮停止時を可変とするように変更処理し、
前記表示手段は、前記処理内容による表示を、前記変動処理手段による変更処理に基づき変更して行うようにしたことを特徴とする遊技機のための図柄表示装置。
【請求項５】
前記一変動パターンがリーチ変動に対応するか否かを判定するリーチ変動判定手段を備えて、
前記変動処理手段は、前記変更処理を、前記リーチ変動判定手段によるリーチ変動に対応するとの判定時に行うようにしたことを特徴とする請求項４に記載の遊技機のための図柄表示装置。
【請求項６】
前記抽選実行条件検出手段による検出が図柄変化の開始不能中になされる毎に新たな図柄変化の開始を保留して保留数を増大させ、この保留数を図柄変化の開始可能時毎にに減少させる保留数増減手段と、
前記保留数が一定数以下か否かを判定する保留数判定手段とを備えて、
前記変動処理手段は、前記変更処理を、前記保留数判定手段による前記一定数以下との判定時に行うようにしたことを特徴とする請求項４或いは５に記載の遊技機のための図柄表示装置。
【請求項７】
変動パターンを複数の図柄群の図柄変化により変動表示している間に、前記複数の図柄群の各図柄変化の確定停止時における各図柄態様の当たり或いは外れとなる組み合わせにするように前記各図柄群を確定停止させることで、前記変動表示を終了させる遊技機のための図柄表示方法において、
前記変動パターンにおいて前記複数の図柄群のうち最後に仮停止する図柄群（以下、最後図柄群という）以外の図柄群であって最も遅く仮停止する図柄群（以下、一つ前図柄群という）の仮停止時を可変とするように表示することを特徴とする遊技機のための図柄表示方法。
【請求項８】
前記変動パターンの変動表示中において、前記一つ前図柄群の仮停止時を可変とする表示を、前記変動パターンがリーチ変動に対応するときに行うようにしたことを特徴とする請求項７に記載の遊技機のための図柄表示方法。
【請求項９】
前記変動パターンの変動表示中において、前記一つ前図柄群の仮停止時を可変とする表示を、図柄変化の開始を保留する保留数が一定数以下となるときに行うことを特徴とする請求項７或いは８に記載の遊技機のための図柄表示方法。
【請求項１０】
前記変動パターンの変動表示中において、前記複数の図柄群のうち前記最後図柄群及び前記一つ前図柄群以外の少なくとも１つの図柄群の仮停止時を可変とするように表示することを特徴とする請求項７乃至９のいずれか一つに記載の遊技機のための図柄表示方法。
【請求項１１】
抽選実行条件を検出する抽選実行条件検出手段と、
この抽選実行条件検出手段による検出条件に基づき抽選を実行する抽選手段と、
互いに異なる複数の主変動パターンであって複数の図柄群の各図柄変化でもって変動し、この変動を、前記複数の図柄群の各図柄変化の確定停止時における各図柄態様の当たり或いは外れとなる組み合わせにするように前記各図柄群を確定停止させることで終了するようになっている複数の主変動パターンを有し、前記抽選手段による抽選結果に応じて前記複数の主変動パターンのうち一主変動パターンを決定する決定手段を有する主制御装置と、
前記複数の主変動パターンの各に関連付けた互いに異なる各複数の副変動パターンから、前記決定手段による決定毎に、前記一主変動パターンに関連する一副変動パターンを選択する選択手段を有する副制御装置と、
表示手段とを備え、
前記副制御装置は、
前記一副変動パターンが前記一主変動パターンにおいて前記複数の図柄群のうち最後に仮停止する図柄群以外の図柄群であって最も遅く仮停止する図柄群（以下、一つ前図柄群という）の仮停止時を可変とする構成を有するように処理する変動処理手段をさらに備え、
前記表示手段は、前記変動処理手段による処理に基づき前記一副変動パターンの変動を表示するようにした遊技機。
【発明の詳細な説明】
【０００１】
【発明の属する技術分野】
本発明は、遊技機、その図柄表示装置及び図柄表示方法に関するものである。
【０００２】
【従来の技術】
従来、例えば、パチンコ機においては、通常、遊技者の遊技過程におけるパチンコ球の入賞の有無に応じた成果は、変動パターンが、遊技盤の液晶パネルにより、３列の図柄群の図柄変化でもって変動表示されている間において、当該各図柄群が順次仮停止した時の各停止図柄の組み合わせにより決定される。
【０００３】
具体的には、当該３列の図柄群は、互いに０乃至９の数字の一連の数字図柄からなる左図柄群、中図柄群及び右図柄群で構成されており、これら左図柄群、中図柄群及び右図柄群の図柄変化は、液晶パネルにおける各数字図柄の変化でもって表示される。この表示の態様は遊技者の遊技の仕方により変化するが、上記３列の図柄群の変化は、通常、共に同時期にて開始した後、左図柄群、右図柄群及び中図柄群の順序にて仮停止する。
【０００４】
例えば、遊技が外れとなる通常変動では、上記３列の図柄群の変化時間は、図１６（ａ）にて示すようになる。即ち、左図柄群、中図柄群及び右図柄群が、共に、時間ｔ＝０（秒）にて図柄変化を開始した後、左図柄群が、ｔ＝３（秒）にて、或る停止図柄（例えば５）で仮停止する。ついで、右図柄群が、ｔ＝６（秒）にて、或る停止図柄（例えば、数字７）で仮停止し、然る後、中図柄群が、ｔ＝９（秒）にて、或る停止図柄にて仮停止する。ここで、互いに異なる各停止図柄の組み合わせでもって遊技の外れが可能性として認識される。
【０００５】
また、遊技が当たりになる可能性のあるリーチ変動、例えば、プレミアリーチ変動では、図１６（ｂ）にて示すように、左図柄群、中図柄群及び右図柄群が、共に、時間ｔ＝０（秒）にて図柄変化を開始した後、左図柄群が、ｔ＝３（秒）にて、或る停止図柄（例えば数字５）で仮停止する。ついで、右図柄群が、ｔ＝６（秒）にて、左停止図柄（５）と同一の停止図柄（５）で仮停止し、然る後、中図柄群が、当たり時にはｔ＝６８（秒）にて、左停止図柄（５）と同一の停止図柄（５）にて仮停止し、また外れ時にはｔ＝６１（秒）にて他の停止図柄（例えば、数字７）にて仮停止する。
【０００６】
ここで、リーチ変動において、互いに同一の各停止図柄の組み合わせでもって、遊技の当たりが可能性として認識され、中図柄群の停止図柄及びこの停止図柄とは異なる左図柄群及び右図柄群の各停止図柄との組み合わせにより遊技の外れが可能性として認識される。なお、以上のような図柄変化において、左図柄群、中図柄群及び右図柄群の各図柄変化が共に開始した後右図柄群の図柄変化の仮停止までの変動パターンの変動時間を基本変動時間として表す。
【０００７】
【発明が解決しようとする課題】
ところで、上記パチンコ機において、上記基本変動時間は、上記通常変動及びプレミアリーチ変動において、６（秒）と同一であるが、当該プレミアリーチ変動における右図柄群の仮停止後中図柄群の仮停止までの時間（リーチ変動時間）は、（６８−６）（秒）又は（６１−６）（秒）であって、通常、上記通常変動における右図柄群の図柄変化の仮停止後中図柄群の図柄変化の仮停止までの時間３（秒）に比べてかなり長い。また、プレミアリーチ変動では、当たりの確率の方が、外れの確率に比べて非常に高い。
【０００８】
このため、遊技者は、上述のようにリーチ変動時間が長くかつ当たりの可能性が高いことから、パチンコ球の打ち出しを止めて当たりを待つといういわゆる止め打ちをする傾向が強い。
【０００９】
しかし、このような止め打ちの傾向は、パチンコホール側からすれば、遊技者によるパチンコ球の消費率の低下、換言すれば、パチンコ機の稼働率の低下を招くという不具合を生ずる。
【００１０】
そこで、本発明は、以上のようなことに対処するため、図柄群の仮停止時期を可変にすれば遊技媒体の止め打ち時期の判断がし難くなることに着目して、稼働率の向上を図るようにした遊技機、その図柄表示装置及び図柄表示方法を提供することを目的とする。
【００１１】
【課題を解決するための手段】
上記課題の解決にあたり、本発明に係る遊技機は、請求項１の記載によれば、
抽選実行条件を検出する抽選実行条件検出手段（４５）と、
この抽選実行条件検出手段による検出条件に基づき抽選を実行する抽選手段（１１１）と、
この抽選手段による抽選結果に応じて複数の変動パターン（１乃至７、４−１乃至４−４、５−１乃至５−４）のうち一変動パターンを決定する毎に、当該一変動パターンを複数の図柄群（Ｌ、Ｒ、Ｍ）の各図柄変化でもって変動させ、上記複数の図柄群の各図柄変化の確定停止時における各図柄態様（Ｌｂ、Ｒｂ、Ｍｂ）の当たり或いは外れとなる組み合わせにするように上記各図柄群を確定停止させることで、上記変動を終了させるように処理する変動処理手段（２４０）と、
変動処理手段の処理毎にその処理内容を表示する表示手段（３０ｄ）とを備える。
【００１２】
当該遊技機において、変動処理手段は、上記一変動パターンにおいて上記複数の図柄群のうち最後に仮停止する図柄群以外の図柄群であって最も遅く仮停止する図柄群（以下、一つ前図柄群という）の仮停止時を可変とするように変更処理し、
表示手段は、上記処理内容による表示を、変動処理手段による変更処理に基づき変更して行うようにしたことを特徴とする。
【００１３】
これにより、上記一変動パターンは、上記一つ前図柄群の仮停止までの図柄変化時間を可変とする変動構成で表示される。このため、遊技者は、上記一つ前図柄群の仮停止時を判断しにくくなるので、遊技球の打ち止めを行い難い。その結果、遊技者は遊技媒体に対する打ち出しを継続することとなり、当該遊技機の稼働率を向上し得る。
【００１４】
また、本発明は、請求項２の記載によれば、請求項１に記載の遊技機において、
上記一変動パターンがリーチ変動に対応するか否かを判定するリーチ変動判定手段（２１０）を備えて、
変動処理手段は、上記変更処理を、リーチ変動判定手段によるリーチ変動に対応するとの判定時に行うようにしたことを特徴とする。
【００１５】
これによれば、リーチ変動判定手段によるリーチ変動に対応するとの判定時に、上記一変動パターンが上記一つ前図柄群の仮停止までの図柄変化時間を可変とする変動構成で表示される。従って、リーチ変動判定手段によるリーチ変動に対応するとの判定があったときに、上記一つ前図柄群の仮停止までの図柄変化時間が変化するので、遊技者は、上記一つ前図柄群の仮停止時、ひいては、打ち止めの時期を判断しにくくなる。その結果、上述のようにリーチ変動に対応するとの判定時に、請求項１に記載の発明の作用効果である当該遊技機の稼働率の向上を達成できる。
【００１６】
また、本発明は、請求項３の記載によれば、請求項１或いは２に記載の遊技機において、
抽選実行条件検出手段による検出が図柄変化の開始不能中になされる毎に新たな図柄変化の開始を保留して保留数（Ｈ）を増大させ、この保留数を図柄変化の開始可能時毎に減少させる保留数増減手段（１２０、１２６、１２４）と、
上記保留数が一定数以下か否かを判定する保留数判定手段（２２０）とを備えて、
変動処理手段は、上記変更処理を、保留数判定手段による上記一定数以下との判定時に行うようにしたことを特徴とする。
【００１７】
これにより、保留数判定手段による上記一定数以下との判定時には、図柄変化の開始の保留数が少ないにもかかわらず、遊技者に打ち止めをされることで招いていた遊技機の稼働率の低下を有効に抑制しつつ、請求項１或いは２に記載の発明の作用効果を達成できる。
【００１８】
また、本発明は、請求項４に記載の遊技機のための図柄表示装置は、
抽選実行条件に基づく抽選の結果に応じて複数の変動パターン（１乃至７、４−１乃至４−４、５−１乃至５−４）のうち一変動パターンを決定する毎に、当該一変動パターンを複数の図柄群（Ｌ、Ｒ、Ｍ）の各図柄変化でもって変動させ、上記複数の図柄群の各図柄変化の確定停止時における各図柄態様（Ｌｂ、Ｒｂ、Ｍｂ）の当たり或いは外れとなる組み合わせにするように上記各図柄群を確定停止させることで、上記変動を終了させるように処理する変動処理手段（２４０）と、
この変動処理手段の処理毎にその処理内容を表示する表示手段（３０ｄ）とを備える。
【００１９】
当該図柄表示装置において、変動処理手段は、上記一変動パターンにおいて上記複数の図柄群のうち最後に仮停止する図柄群以外の図柄群であって最も遅く仮停止する図柄群（以下、一つ前図柄群という）の仮停止時を可変とするように変更処理し、
表示手段は、上記処理内容による表示を、変動処理手段による変更処理に基づき変更して行うようにしたことを特徴とする。
【００２０】
これにより、請求項１に記載の遊技機に採用するに適した図柄表示装置の提供が可能となる。
【００２１】
また、本発明は、請求項５の記載によれば、請求項４に記載の遊技機のための図柄表示装置において、上記一変動パターンがリーチ変動に対応するか否かを判定するリーチ変動判定手段（２１０）を備えて、
変動処理手段は、前記変更処理を、リーチ変動判定手段によるリーチ変動に対応するとの判定時に行うようにしたことを特徴とする。
【００２２】
これにより、請求項２に記載の遊技機に採用するに適した図柄表示装置の提供が可能となる。
【００２３】
また、本発明は、請求項６の記載によれば、請求項４或いは５に記載の遊技機のための図柄表示装置において、
抽選実行条件検出手段による検出が図柄変化の開始不能中になされる毎に新たな図柄変化の開始を保留して保留数（Ｈ）を増大させ、この保留数を図柄変化の開始可能時毎にに減少させる保留数増減手段（１２０、１２６、１２４）と、
上記保留数が一定数以下か否かを判定する保留数判定手段（２２０）とを備えて、
変動処理手段は、上記変更処理を、保留数判定手段による上記一定数以下との判定時に行うようにしたことを特徴とする。
【００２４】
これにより、請求項３に記載の遊技機に採用するに適した図柄表示装置の提供が可能となる。
【００２５】
また、本発明は、請求項７に記載の遊技機のための図柄表示方法によれば、
変動パターン（１乃至７、４−１乃至４−４、５−１乃至５−４）を複数の図柄群（Ｌ、Ｒ、Ｍ）の図柄変化により変動表示している間に、上記複数の図柄群の各図柄変化の確定停止時における各図柄態様（Ｌｂ、Ｒｂ、Ｍｂ）の当たり或いは外れとなる組み合わせにするように上記各図柄群を確定停止させることで、上記変動表示を終了させる。
【００２６】
当該図柄表示方法において、上記変動パターンにおいて上記複数の図柄群のうち最後に仮停止する図柄群（以下、最後図柄群という）以外の図柄群であって最も遅く仮停止する図柄群（以下、一つ前図柄群という）の仮停止時を可変とするように表示することを特徴とする。
【００２７】
これにより、請求項１に記載の遊技機に採用するに適した図柄表示方法の提供が可能となる。
【００２８】
また、本発明は、請求項８の記載によれば、請求項７に記載の遊技機のための図柄表示方法において、上記変動パターンの変動表示中において、上記一つ前図柄群の仮停止時を可変とする表示を、上記変動パターンがリーチ変動に対応するときに行うようにしたことを特徴とする。
【００２９】
これにより、請求項２に記載の遊技機に採用するに適した図柄表示方法の提供が可能となる。
【００３０】
また、本発明は、請求項９の記載によれば、請求項７或いは８に記載の遊技機のための図柄表示方法において、上記変動パターンの変動表示中において、上記一つ前図柄群の仮停止時を可変とする表示を、図柄変化の開始を保留する保留数（Ｈ）が一定数以下となるときに行うことを特徴とする。
【００３１】
これにより、請求項３に記載の遊技機に採用するに適した図柄表示方法の提供が可能となる。
【００３２】
また、本発明は、請求項１０の記載によれば、請求項７乃至９のいずれか一つに記載の遊技機のための図柄表示方法において、上記変動パターンの変動表示中において、上記複数の図柄群のうち上記最後図柄群及び上記一つ前図柄群以外の少なくとも１つの図柄群の仮停止時を可変とするように表示することを特徴とする。
【００３３】
これによっても、請求項７乃至９のいずれか一つに記載の発明と実質的に同様の作用効果を達成できる。なお、請求項１０に記載の発明において、上記一つ前図柄群の仮停止時を可変にすることに代えて、上記複数の図柄群のうち上記最後図柄群及び上記一つ前図柄群以外の少なくとも１つの図柄群の仮停止時を可変にするようにしてもよい。
【００３４】
また、本発明にかかる遊技機は、請求項１１に記載の発明によれば、
抽選実行条件を検出する抽選実行条件検出手段（４５）と、
この抽選実行条件検出手段による検出条件に基づき抽選を実行する抽選手段（１１１）と、
互いに異なる複数の主変動パターンであって複数の図柄群（Ｌ、Ｒ、Ｍ）の各図柄変化でもって変動し、この変動を、上記複数の図柄群の各図柄変化の確定停止時における各図柄態様（Ｌｂ、Ｒｂ、Ｍｂ）の当たり或いは外れとなる組み合わせにするように上記各図柄群を確定停止させることで終了するようになっている複数の主変動パターン（１乃至７）を有し、抽選手段による抽選結果に応じて上記複数の主変動パターンのうち一主変動パターンを決定する決定手段（１２１）を有する主制御装置（４０）と、
上記複数の主変動パターンの各に関連付けた互いに異なる各複数の副変動パターン（４−１乃至４−４、５−１乃至５−４）から、決定手段による決定毎に、上記一主変動パターンに関連する一副変動パターンを選択する選択手段（２３０）を有する副制御装置（５０）と、表示手段（３０ｄ）とを備え、
副制御装置は、
上記一副変動パターンが上記一主変動パターンにおいて上記複数の図柄群のうち最後に仮停止する図柄群以外の図柄群であって最も遅く仮停止する図柄群（以下、一つ前図柄群という）の仮停止時を可変とする構成を有するように処理する変動処理手段（２４０）をさらに備え、
表示手段は、変動処理手段による処理に基づき上記一副変動パターンの変動を表示する。
【００３５】
このように、主制御装置と副制御装置とに請求項１に記載の発明における変動処理手段の処理を分担させることで、遊技機の全体を総括する主制御装置の処理を軽減しつつ、請求項１に記載の発明と同様に稼働率の向上を達成できる。
【００３６】
ここで、請求項１乃至１０に記載の各発明の具体例をあげると、第１に、請求項１に記載の発明に対しては、抽選実行条件に基づく抽選の結果に応じて複数の変動パターン（１乃至７）のうち一変動パターンを決定する毎に、当該一変動パターンを第１、第２及び第３の図柄群（Ｌ、Ｒ、Ｍ）の図柄変化でもって変動させて、上記第１、第２及び第３の図柄群の各停止図柄（Ｌｂ、Ｒｂ、Ｍｂ）の当たり或いは外れとなる組み合わせにするように当該第１、第２及び第３の図柄群の順序で上記各対応の停止図柄にて仮停止することで、上記一変動パターンの変動を実質的に終了させるように処理する変動処理手段（２４０）と、
変動処理手段の処理毎にその処理内容を表示する表示手段（３０ｄ）を有する。
【００３７】
当該遊技機において、変動処理手段は、上記変動パターンの決定毎に、当該一変動パターン（以下、一主変動パターンという）に対応する複数の副変動パターン（４−１乃至４−４、５−１乃至５−４）のうち一副変動パターンを選択し、この一副変動パターンが上記一主変動パターンにおいて上記第１図柄群の仮停止後仮停止するまでの上記第２図柄群の図柄変化時間を可変とするように変更した変動構成を有するように処理し、
表示手段は、変動処理手段の処理による上記一副変動パターンを上記変動構成でもって上記処理内容として表示するようにしたことを特徴とする。
【００３８】
このように、上記一副変動パターンは、上記一主変動パターンにおいて上記第１図柄群の仮停止後仮停止するまでの上記第２図柄群の図柄変化時間を可変とした変動構成で表示される。このため、遊技者は、上記第２図柄群の仮停止時点を判断しにくくなるので、遊技者は、上記第１図柄群の仮停止後において遊技球の打ち止めを行い難い。その結果、遊技者は遊技球に対する打ち出しを継続することとなり、当該遊技機の稼働率を向上し得る。
【００３９】
第２に、請求項２に記載の発明の具体例として、上記第１に述べた遊技機において、
上記一主変動パターンがリーチ変動に対応するか否かを判定するリーチ変動判定手段（２１０）を備えて、
変動処理手段は、リーチ変動判定手段によるリーチ変動に対応するとの判定時には、上記第２図柄群の上記図柄変化時間を、上記第１及び第２の図柄群の各停止図柄が一致した後上記第３図柄群の仮停止までの図柄変化時間よりも長くするように変更処理し、
この処理に伴い、表示手段は、その表示内容において、上記第２図柄群の上記図柄変化時間を、上記第１及び第２の図柄群の各停止図柄が一致した後上記第３図柄群の仮停止までの図柄変化時間よりも長くするように表示することを特徴とする。
【００４０】
これによれば、上記第２図柄群の上記図柄変化時間を、上記第１及び第２の図柄群の各停止図柄が一致した後上記第３図柄群の仮停止までの図柄変化時間よりも長くするように表示することで、第１及び第２の図柄群の各停止図柄が一致することによるリーチ成立前の第２図柄群の図柄変化時間が長くなる。従って、遊技者が当たりを予測した打ち止めを行うことなく遊技球の打ち出しを継続する時間が長くなり、当該リーチ成立後の上記第３図柄群の仮停止までの図柄変化時間、即ち、リーチ変動時間が短くなって上記打ち止めを行う時間が短くなる。その結果、上記第１の遊技機の作用効果である当該遊技機の稼働率の向上をより一層改善できる。
【００４１】
第３に、請求項４に記載の発明の具体例としては、遊技機のための図柄表示装置は、抽選実行条件に基づく抽選の結果に応じて複数の変動パターン（１乃至７）のうち一変動パターンを決定する毎に、当該一変動パターンを第１、第２及び第３の図柄群（Ｌ、Ｒ、Ｍ）の図柄変化でもって変動させて、上記第１、第２及び第３の図柄群の各停止図柄（Ｌｂ、Ｒｂ、Ｍｂ）の当たり或いは外れとなる組み合わせにするように当該第１、第２及び第３の図柄群の順序で上記各対応の停止図柄にて仮停止することで上記一変動パターンの変動を実質的に終了させるように処理する変動処理手段（２４０）と、
この変動処理手段の処理毎にその処理内容を表示する表示手段（３０ｄ）とを備える。
【００４２】
当該図柄表示装置において、変動処理手段は、上記一変動パターンの決定毎に、当該一変動パターン（以下、一主変動パターンという）に対応する複数の副変動パターン（４−１乃至４−４、５−１乃至５−４）のうち一副変動パターンを選択し、この一副変動パターンが上記一主変動パターンにおいて上記第１図柄群の仮停止後仮停止するまでの上記第２図柄群の図柄変化時間を可変とするように変更した変動構成を有するように処理し、
表示手段は、変動処理手段の処理による上記一副変動パターンを上記変動構成でもって上記処理内容として表示するようにしたことを特徴とする。
【００４３】
第４に、請求項５に記載の発明の具体例として、上記第３に述べた図柄表示装置において、
上記一主変動パターンがリーチ変動に対応するか否かを判定するリーチ変動判定手段（２１０）を備えて、
変動処理手段は、リーチ変動判定手段によるリーチ変動に対応するとの判定時には、上記第２図柄群の上記図柄変化時間を、上記第１及び第２の図柄群の各停止図柄が一致した後上記第３図柄群の仮停止までの図柄変化時間よりも長くするように処理し、
この処理に伴い、表示手段は、その表示内容において、上記第２図柄群の上記図柄変化時間を、上記第１及び第２の図柄群の各停止図柄が一致した後上記第３図柄群の仮停止までの図柄変化時間よりも長くするように表示することを特徴とする。
【００４４】
第５に、請求項７に記載の発明の具体例として、遊技機のための図柄表示方法は、変動パターン（１乃至７、４−１乃至４−４、５−１乃至５−４）を第１、第２及び第３の図柄群（Ｌ、Ｒ、Ｍ）の図柄変化により変動表示している間に、上記第１、第２及び第３の図柄群の各停止図柄（Ｌｂ、Ｒｂ、Ｍｂ）の当たり或いは外れとなる組み合わせにするように、上記第１、第２及び第３の図柄群をその順序で上記各対応の停止図柄にてそれぞれ仮停止させて表示する。
【００４５】
当該図柄表示方法において、上記第２図柄群が上記第１図柄群の仮停止後仮停止するまでの図柄変化時間を可変とすることを特徴とする。
【００４６】
また、第６に、請求項８に記載の発明の具体例として、上記第５の遊技機のための図柄表示方法において、上記変動パターンの変動表示中に、上記変動パターンがリーチ変動に対応するとき、上記第２図柄群の上記図柄変化時間を、上記第１及び第２の図柄群の各停止図柄が一致した後上記第３図柄群の仮停止までの図柄変化時間よりも長くすることを特徴とする。
【００４７】
また、第７に、請求項１０に記載の発明の具体例として、上記第５に述べた図柄表示方法において、上記変動パターンの変動表示中に、上記第２図柄群が上記第１図柄群の仮停止後仮停止するまでの図柄変化時間を、上記第３図柄群が上記第２図柄群の仮停止後仮停止するまでの図柄変化時間よりも長くするように上記第１及び第２の図柄群の少なくとも一方の仮停止時点を変化させるようにしたことを特徴とする。
【００４８】
なお、請求項１、４及び１１において、「複数の図柄群において最後に仮停止する図柄群」とは、複数の図柄群であって順次仮停止して一旦所定の組み合わせを形成する複数の図柄群のうち最後に仮停止する図柄群（最後図柄群という）をいい、「一つ前図柄群」とは、複数の図柄群において最後図柄群以外の図柄群のうち最も遅く仮停止する図柄群をいう。
【００４９】
また、請求項７において、「最後図柄群」とは、複数の図柄群であって順次仮停止して一旦所定の組み合わせを形成する複数の図柄群のうち最後に仮停止する図柄群をいい、「一つ前図柄群」とは、複数の図柄群において最後図柄群以外の図柄群のうち最も遅く仮停止する図柄群をいう。
【００５０】
また、請求項１、２、４、５、７、８、１０、１１及び上記各具体例において、「仮停止」とは、図柄態様が微変化や揺動変化の状態にある停止のように、図柄群がその確定停止前において上記図柄態様にて暫定的に停止することをいう。また、上記各手段の括弧内の符号は、後述する実施形態に記載の具体的手段との対応関係を示すものである。
【００５１】
【発明の実施の形態】
以下、本発明の一実施形態を図面に基づいて説明すると、図１は、本発明が適用されたパチンコ装置の一例を示している。このパチンコ装置は、図１にて示すごとく、パチンコ機Ｐと、カードユニットＣＲとを備えており、パチンコ機Ｐは、パチンコ機本体Ｐｂと、遊技盤Ｐｐとにより構成されている。なお、カードユニットＣＲは、パチンコ機Ｐの図１にて図示左側部に沿い設けられており、このカードユニットＣＲは、磁気カードやＩＣカード等のカード状記録媒体をセットされて、当該記録媒体で特定される金額に対応したパチンコ球のパチンコ機Ｐへの貸し出しを指令する。
【００５２】
パチンコ機本体Ｐｂは、図２にて示すごとく、球発射制御装置１０及び球払い出し制御装置２０を備えている。球発射制御装置１０は、その操作ハンドル１１（図１参照）の遊技者による操作のもと、パチンコ球を繰り返し打ち出して後述する遊技盤Ｐｐの遊技領域に発射するように制御する。また、球発射制御装置１０は、球払い出し制御装置２０による発射停止制御に基づきパチンコ球の打ち出しを停止するように制御する。
【００５３】
また、球発射制御装置１０は、遊技者による操作ハンドル１１の解放により、パチンコ球の打ち出しを停止するように制御する。なお、操作ハンドル１１は、図１にて示すごとく、パチンコ機本体Ｐｂの前面下部に設けられている。また、図１にて符号ｄは、上皿を示しており、この上皿ｄは、後述する遊技盤Ｐｐの盤本体３０の直下にてパチンコ機本体Ｐｂの前面に設けられている。
【００５４】
球払い出し装置２０は、後述する主制御装置４０による制御のもと、カードユニットＣＲによるパチンコ球の貸し出し指令に基づき上皿ｄ内へのパチンコ球の払い出し制御を行い、また、球発射制御装置１０に対しパチンコ球の発射停止制御を行う。
【００５５】
遊技盤Ｐｐは、その盤本体３０にて、パチンコ機本体Ｐｂの開口部１２に組み付けられてその前面側へ露呈している。盤本体３０は、図１にて示すごとく、その前面の遊技領域にて、ゲート装置３０ａ、始動口装置３０ｂ、大入賞口装置３０ｃ、表示装置３０ｄ及び保留数表示器３０ｅを備えている。ゲート装置３０ａは、表示装置３０ｄの図１にて図示左側に位置しており、このゲート装置３０ａは、盤本体３０の上記遊技領域に打ち出されたパチンコ球を上方から下方へ通過させる。
【００５６】
始動口装置３０ｂは、液晶パネル３８（後述する）の直下に位置しており、この始動口装置３０ｂは、始動口３１と、両可動片３２と、これら両可動片３２を上記遊技領域の横方向にチューリップ形状に傾動開閉駆動させるアクチュエーター３３（図２参照）とを備えている。しかして、始動口装置３０ｂは、アクチュエーター３３により開閉駆動される両可動片３２の間を通りパチンコ球を始動口３１内に入賞させる。なお、両可動片３２の閉動作時でもパチンコ球は始動口３１に入賞するようになっている。
【００５７】
大入賞口装置３０ｃは、始動口装置３０ｂの直下に位置しており、この大入賞口装置３０ｃは、大入賞口３４と、開閉蓋３５と、この開閉蓋３５を上記遊技領域の前後方向に傾動開閉駆動するアクチュエーター３７（図２参照）とを備えている。ここで、大入賞口３４は、開閉蓋３５の内側にて、特定検出口及び一般検出口を備えている。しかして、当該大入賞口装置３０ｃは、アクチュエーター３７の開閉駆動による開閉蓋３５の開閉に応じて、パチンコ球を大入賞口３４の上記特定検出口及び一般検出口の少なくとも一方に入賞させる。
【００５８】
表示装置３０ｄは、図２にて示すごとく、マトリックス駆動型液晶パネル３８及びその駆動回路３８ａを備えている。液晶パネル３８は、図１にて示すごとく、上記遊技領域の中央に位置しており、この液晶パネル３８は、駆動回路３８ａによりマトリックス駆動されて、後述のように各図柄群の図柄変化を表示する。
【００５９】
保留数表示器３０ｅは、図１にて示すごとく、上記遊技領域において液晶パネル３８の左側に設けられており、この保留数表示器３０ｅは、４つの発光ダイオード３９により構成されている。当該保留数表示器３０ｅは、主制御装置４０による制御のもと、各発光ダイオード３９を保留数Ｈに相当する数だけ発光させることで保留数Ｈを表示する。なお、保留数Ｈは、始動口センサ４５による入賞検出が図柄変化の開始不能中になされる毎に新たな図柄変化を保留する回数を表す。
【００６０】
また、遊技盤Ｐｐは、主制御装置４０及び図柄制御装置５０（図２参照）を備えている。主制御装置４０は、マイクロコンピュータ４０ａを主たる構成要素として備えており、このマイクロコンピュータ４０ａは、ＣＰＵ４１、ＲＯＭ４２及びＲＡＭ４３その他の構成素子をバスライン４４を介し接続して構成されている。
【００６１】
しかして、主制御装置４０では、当該マイクロコンピュータ４０ａは、ＣＰＵ４１により、図３及び図４にて示すフローチャートに従い主制御プログラムを実行し、この実行中において、ゲートセンサ４４、始動口センサ４５及びＶゾーンセンサ４６の各検出出力に基づき、球払い出し制御装置２０や図柄制御装置５０の制御処理及び始動口装置３０ｂ、大入賞口装置３０ｃや保留数表示器３０ｅの駆動制御処理を行う。
【００６２】
本実施形態では、上記主制御プログラムが、当たり時主変動パターンテーブル（図６参照）、外れ時主変動パターンテーブル（図７参照）及び乱数データと共にＲＯＭ４２に予め記憶されている。
【００６３】
上記当たり時及び外れ時の各主変動パターンテーブルでは、主変動パターンは、図６及び図７にて示すごとく、主変動パターン１乃至７の各で構成されている。また、主変動パターン１は通常変動に対応し、主変動パターン２乃至７はリーチ変動Ａ乃至Ｆに対応する。
【００６４】
ここで、リーチ変動Ａはノーマル外れリーチ変動であり、リーチ変動Ｂはノーマル当たりリーチ変動であり、リーチ変動Ｃはスーパー外れリーチ変動である。また、リーチ変動Ｄはスーパー当たりリーチ変動であり、リーチ変動Ｅはプレミア外れリーチ変動であり、リーチ変動Ｆはプレミア当たりリーチ変動である。
【００６５】
また、図６及び図７にて示すごとく、主変動パターン１における中図柄群の図柄変化時間ＴＭ（図１０参照）は９（秒）であり、主変動パターン２至７における各図柄変化時間ＴＭは、１２（秒）、１８（秒）、３５（秒）、４１（秒）、６２（秒）、６８（秒）である。但し、主変動パターン１の選択確率ＰＳは、上記当たり時主変動パターンテーブルでは、図６にて示すごとく、０（％）であり、一方、上記外れ時主変動パターンテーブルでは、図７にて示すごとく、９０（％）である。
【００６６】
なお、図柄変化時間ＴＭと、中図柄群の仮停止後全図柄群（左図柄群、中図柄群及び右図柄群）の完全停止である確定停止の時点（図１０乃至図１３にて符号ｔｅ参照）までの時間との和は、各主変動パターンの総変動時間に相当する。
【００６７】
また、主変動パターン２乃至７の各選択確率ＰＳは、上記当たり時主変動パターンテーブルでは、図６にて示すごとく、０（％）、１５（％）、０（％）、５５（％）、０（％）、３０（％）であり、一方、上記外れ時主変動パターンテーブルでは、図７にて示すごとく、６（％）、０（％）、３（％）、０（％）、１（％）、０（％）である。
【００６８】
また、上記当たり時及び外れ時の各主変動パターンテーブルにおいて、主変動パターン１乃至７は、共に、左図柄群、中図柄群及び右図柄群で構成されている。また、これら左図柄群、中図柄群及び右図柄群は、一主変動パターン毎に、同時に図柄変化を開始し、ついで、左図柄群、右図柄群及び中図柄群の順で仮停止し、然る後、確定停止するように設定されている。なお、中図柄群の仮停止は、主変動パターンの変動の実質的終了に相当し、全図柄群の確定停止は主変動パターンの終了に相当する。
【００６９】
但し、主変動パターン１乃至７の各において、上記左図柄群、の図柄変化の仮停止は、停止図柄が微変化や揺動変化の状態にある停止のように、当該左図柄群、右図柄群或いは中図柄群がその確定停止前において上記停止図柄にて暫定的に停止することをいう。また、主変動パターン１乃至７において、上記中図柄群の図柄変化の仮停止時点は相互に異なっているが、中図柄群の仮停止後確定停止時点までの時間は共に同一である。
【００７０】
主変動パターン１乃至７の各変動時間につき、ちなみに、主変動パターン１、４及び５を例にとり説明すると、これら主変動パターン１、４及び５のいずれにおいても、図１０（ａ）乃至（ｃ）にて示すように、左図柄群、中図柄群及び右図柄群は、共に、時間ｔ＝０にて図柄変化を開始し、左図柄群はｔ＝３（秒）にて仮停止し、右図柄群はｔ＝６（秒）にて仮停止するように設定されている。
【００７１】
但し、中図柄群は、主変動パターン１では、図１０（ａ）にて示すごとくｔ＝９（秒）にて仮停止し、主変動パターン４では、図１０（ｂ）にて示すごとくｔ＝３５（秒）で仮停止し、主変動パターン５では、図１０（ｃ）にて示すごとくｔ＝４１（秒）にて仮停止するように設定されている。
【００７２】
従って、主変動パターン１、４、５において、左図柄群の図柄変化時間はＴＬ＝３（秒）、右図柄群の図柄変化時間はＴＲ＝６（秒）であるが、中図柄群の図柄変化時間は、主変動パターン１、４及び５の間で、ＴＭ＝９（秒）、３５（秒）及び４１（秒）と相互に異なる。つまり、右図柄群の図柄変化時間ＴＲに相当する基本変動時間は、主変動パターン１、４、５で同一であるが、リーチ変動時間（ＴＭ−ＴＲ）は、主変動パターン５の方が主変動パターン４に比べて長い。なお、図１０（ａ）乃至（ｃ）において、符号ｔｅは左図柄、中図柄及び右図柄の各停止図柄の完全停止時点である確定停止時点を示す。
【００７３】
また、上記乱数データは、当落判定用乱数、停止図柄用乱数及び図柄表示用乱数で構成される。ここで、上記当落判定用乱数は、当たりか外れかを判定するために用いられ、上記停止図柄用乱数は、左図柄群、中図柄群及び右図柄群の各停止図柄を特定するために用いられ、上記図柄表示用乱数は、表示すべき副変動パターン（後述する）に対応する主変動パターンを特定するために用いられる。
【００７４】
図柄制御装置５０は、マイクロコンピュータ５０ａを主たる構成要素として備えており、このマイクロコンピュータ５０ａは、ＣＰＵ５１、ＲＯＭ５２及びＲＡＭ５３その他の構成素子をバスライン５４を介し接続して構成されている。しかして、図柄制御装置５０では、当該マイクロコンピュータ５０ａは、主制御装置４０による制御のもと、ＣＰＵ５１により、図５にて示すフローチャートに従い図柄制御プログラムを実行し、この実行中において、表示装置３０ｄの表示制御を行う。
【００７５】
本実施形態では、上記図柄制御プログラムは、主変動パターン１に対応する副変動パターンテーブル（以下、第１副変動パターンテーブルという）、主変動パターン２乃至７に対応する両副変動パターンテーブル（以下、第２及び第３の副変動パターンテーブルという）（図８及び図９参照）と共に、ＲＯＭ５２に予め記憶されている。
【００７６】
上記第１副変動パターンテーブルでは、副変動パターンが主変動パターン１に対応して設定されており、当該副変動パターンは、図１１にて示すごとく、上記当たり時及び外れ時の各主変動パターンテーブルにおける主変動パターン１と同様である（図１０（ａ）参照）。また、当該副変動パターンに対する選択確率はＱＳ＝１００（％）に設定されている。
【００７７】
また、上記第２副変動パターンテーブルは、保留数Ｈ＝２以下の範囲に対応するように設定され、一方、上記第３副変動パターンテーブルは、保留数Ｈ＝３、４の範囲に対応するように設定されている。当該第２及び第３の各副変動パターンテーブルにおいて、４種類の副変動パターンが、主変動パターン２乃至７の各に対応して設定され、各副変動パターンに対し各選択確率ＱＳが設定されている。主変動パターン２乃至７の各毎に、一主変動パターンに対応する４種類の副変動パターンのうち一副変動パターンは当該一主変動パターンと同一であり、残りの副変動パターンは、当該一主変動パターンにおいてその変動態様を部分的に変更したものである。
【００７８】
ちなみに、上記第２び第３の各副変動パターンテーブルにおいて、４種類の副変動パターンにつき、各主変動パターン４、５に対応するものを例にとり説明すると、副変動パターン４−１乃至４−４は主変動パターン４に対応して設定され、副変動パターン５ー１乃至５−４は主変動パターン５に対応して設定されている（図８及び図９参照）。
【００７９】
副変動パターン４−１は、図１２（ａ）にて示すごとく、上記当たり時及び外れ時の各主変動パターンテーブルにおける主変動パターン４と同様である（図１０（ｂ）参照）。また、副変動パターン４−２は、図１２（ｂ）にて示すごとく、上記主変動パターン４において、右図柄群の仮停止時点を、当該右図柄群の図柄変化開始後１０（秒）に変更した構成となっている。また、副変動パターン４−３は、図１２（ｃ）にて示すごとく、上記主変動パターン４において、右図柄群の仮停止時点を当該右図柄群の図柄変化開始後１５（秒）に変更した構成となっている。さらに、副変動パターン４−４は、図１２（ｄ）にて示すごとく、上記主変動パターン４において、右図柄群の仮停止時点を当該変右図柄群の図柄変化開始後２５（秒）に変更した構成となっている。
【００８０】
また、副変動パターン５−１は、図１３（ａ）にて示すごとく、上記当たり時及び外れ時の各主変動パターンテーブルにおける主変動パターン５と同様である（図１０（ｃ）参照）。また、副変動パターン５−２は、図１３（ｂ）にて示すごとく、上記主変動パターン５において、右図柄群の仮停止時点を当該右図柄群の図柄変化開始後１５（秒）に変更した構成となっている。また、副変動パターン５−３は、図１３（ｃ）にて示すごとく、上記主変動パターン５において、右図柄群の仮停止時点を当該右図柄群の図柄変化開始後２５（秒）に変更した構成となっている。さらに、副変動パターン５−４は、図１３（ｄ）にて示すごとく、上記主変動パターン５において、右図柄群の仮停止時点を当該右図柄群の図柄変化の開始後３５（秒）に変更した構成となっている。
【００８１】
また、副変動パターン４−１乃至４−４に対応する各選択確率ＱＳは、上記第２及び第３の各副変動パターンテーブルにおいて副変動パターン毎に相互に異なっている。即ち、各選択確率ＰＱは、副変動パターン４−１乃至４−４に対応して、上記第２副変動パターンテーブルでは図８にて示すごとく４０（％）、２０（％）、２０（％）、２０（％）に設定され、一方、上記第３副変動パターンテーブルでは図９にて示すごとく９１（％）、３（％）、３（％）、３（％）に設定されている。
【００８２】
同様に、副変動パターン５−１乃至５−４に対応する各選択確率ＱＳは、上記第２及び第３の各副変動パターンテーブルにおいて副変動パターン毎に相互に異なっている。即ち、各選択確率ＰＱは、副変動パターン５−１乃至５−４に対応して、上記第２副変動パターンテーブルでは図９にて示すごとく３４（％）、２２（％）、２２（％）、２２（％）に設定され、一方、上記第３副変動パターンテーブルでは図９にて示すごとく８５（％）、５（％）、５（％）、３５％）に設定されている。
【００８３】
以上のように構成した本実施形態にて、主制御装置４０において、マイクロコンピュータ４０ａが、ＣＰＵ４１により、主制御プログラムを所定間隔（例えば、０．４ｍｓ）毎に図３及び図４のフローチャートに従い繰り返し実行しているものとする。
【００８４】
このような状態において、球発射制御装置１０が、遊技者による操作ハンドル１１の操作に応じてパチンコ球を遊技盤Ｐｐの盤本体３０の遊技領域に順次発射すると、これら各パチンコ球のうちゲート装置３０ａを通るパチンコ球がゲートセンサ４４により検出される。
【００８５】
すると、マイクロコンピュータ４０ａが、ＣＰＵ４１により、図３のステップ１００にて、ゲートセンサ４４の検出出力に基づき、ゲート処理を行う。このゲート処理では、パチンコ球のゲート装置３０ａの通過に基づく抽選処理がなされる。そして、当該抽選処理が当たりであれば、始動口装置３０ｂの開閉駆動処理がなされる。このため、当該始動口装置３０ｂは、アクチュエータ３３により両可動片３２をチューリップ形状に開閉駆動する。
【００８６】
このような開閉駆動に伴い、上記遊技領域に発射されたパチンコ球が始動口３１に入賞すると、この入賞が始動口センサ４５により検出される。この検出はパチンコ球の始動口３１への入賞であることから図３のステップ１１０においてＹＥＳと判定される。この判定に伴い、ステップ１１１において、乱数の読み込み及び記憶の処理がなされる。即ち、マイクロコンピュータ４０ａのＲＯＭ４２に記憶済みの乱数データのうち当落判定用乱数が読み込まれて当該マイクロコンピュータ４０ａのＲＡＭ４３に記憶される。
【００８７】
然る後、ステップ１１２において、払い出し制御装置２０へのパチンコ球に対する払い出しコマンドの送信処理がなされる。具体的には、入賞口３１へのパチンコ球の入賞数に相当する賞球数にてパチンコ球を払い出すためのコマンドが主制御装置４０から払い出し制御装置２０に送信される。これに伴い、払い出し制御装置２０は、その制御により、当該コマンドに基づき上記賞球数のパチンコ球を上皿ｄ内に払い出す。
【００８８】
ステップ１１２の処理後、ステップ１２０において、液晶パネル３８における新たな図柄変化は可能か否かが判定される。現在の遊技状態が図柄変化中か大当たり遊技中であれば、新たな図柄変化は不能であることからステップ１２０における判定はＮＯとなる。一方、現在の遊技状態が図柄変化中でなくかつ大当たり遊技中でもなければ、新たな図柄変化は可能であることからステップ１２０での判定はＹＥＳとなる。
【００８９】
ステップ１２０において上述のようにＮＯと判定される場合には、ステップ１２６において、保留数Ｈが上記賞球数に応じてＨ≦４を維持する範囲で増大処理される。当該保留数Ｈはステップ１２０においてＮＯと判定される回数に対応する。ステップ１２６の処理後、ステップ１２７において、現段階における保留数Ｈに対する表示処理がなされる。これに伴い、保留数表示器３０ｅは、主制御装置４０からマイクロコンピュータ４０ａの表示処理に基づく制御を受けて、保留数Ｈに相当する数だけ発光ダイオード３９を発光させる。
【００９０】
上記ステップ１２０において上述のようにＹＥＳと判定された場合には、ステップ１２１において、主変動パターン、停止図柄及び当落の決定処理並びにリーチにするか否かが上記当落判定用乱数に基づきデータとして決定処理される。ここで、主変動パターンは、ＲＯＭ４２に記憶済みの当たり時及び外れ時の各主変動パターンテーブル（図６及び図７参照）のいずれかに基づき上記当落判定用乱数に基づき決定される。
【００９１】
以上のような決定処理に伴い、上記決定データを保留数Ｈ並びに上記乱数データ中の停止図柄用乱数及び図柄表示用乱数と共に図柄制御装置５０に送信する処理がステップ１２２（図４参照）にてなされる。この送信処理後、ステップ１２３にて計時データＤ＝０とクリアする処理がなされ、ステップ１２４において保留数Ｈから「１」だけ減算してこの減算結果をＨ（＝Ｈ−１）と更新する処理がなされる。ついで、ステップ１２５において、当該更新保留数Ｈの表示処理がなされ、これに伴い、保留数表示器３０ｅが、当該更新保留数に相当する数に各発光ダイオード３９の発光数を変更することで、当該更新保留数を表示する。
【００９２】
ステップ１２５の上記処理後では、図柄変化時間ＴＭの経過開始直後であることから、ステップ１３０においてＮＯと判定され、ステップ１３１にて計時データＤがＤ＝Ｄ＋１と加算更新される。以後、両ステップ１３０、１３１の循環処理が繰り返される。
【００９３】
上述のように決定データが保留数Ｈ並びに上記乱数データ中の停止図柄用乱数及び図柄表示用乱数と共に図柄制御装置５０に送信されると、当該図柄制御装置５０においては、マイクロコンピュータ５０ａが、ＣＰＵ５１により、図柄制御プログラムを図５のフローチャートに従い実行し始め、ステップ２００において、上記決定データを保留数Ｈ、上記停止図柄用乱数及び図柄表示用乱数と共に記憶する処理がなされる。これに伴い、当該決定データ及び保留数Ｈ並びに上記乱数データ中の停止図柄用乱数及び図柄表示用乱数がＲＡＭ５３に記憶される。ついで、ステップ２１０において、上記決定データ中の主変動パターンは当たり或いは外れのリーチ変動か否かにつき判定される。
【００９４】
ここで、当該主変動パターンが当たり或いは外れのリーチ変動でなければ、ステップ２１０においてＮＯと判定される。この判定に伴い、ステップ２１１において、上記第１副変動パターンテーブルに基づく選択確率決定処理がなされる。このステップ２１１では、主変動パターン１に対応する副変動パターン（以下、副変動パターン１という）の選択確率ＱＳ＝１００（％）に決定される。この決定に伴い、ステップ２３０において、上記第１副変動パターンテーブルから上記選択確率ＱＳ＝１００（％）に基づき副変動パターン１が選択される。
【００９５】
しかして、次の変動処理ルーチン２４０において、副変動パターン１が、その左図柄群、中図柄群及び右図柄群でもって、図１１のタイミングチャートに従い、ＲＡＭ５３に記憶済みの図柄表示用乱数に基づき決定した数字０乃至９からなる一連の図柄（ＲＯＭ５２に予め記憶済み）の図柄変化にて、変動するように処理される。この処理に伴い、液晶パネル３８は、駆動回路３８ａによりマトリックス駆動されて、副変動パターン１を、その左図柄群、中図柄群及び右図柄群でもって、上記一連の図柄の図柄変化にて、図１１のタイミングチャートに従い変動表示する（図１４（ａ）参照）。
【００９６】
この変動表示において、図１４（ａ）にて破線で示す副変動パターン１の左図柄群（図１４（ａ）にて符号Ｌ参照）、中図柄群（図１４（ａ）にて符号Ｍ参照）及び右図柄群（図１４（ａ）にて符号Ｒ参照）が、図示上方から下方へ、各実線による直線Ｌａ、Ｍａ、Ｒａにて示すごとく図柄変化する。ここで、上記左図柄群Ｌ、中図柄群Ｍ及び右図柄群Ｒは、図１１（ｂ）のｔ＝０（秒）にて図柄変化を開始する、そして、この図柄変化開始後、左図柄群Ｌが或る停止図柄でもって、ｔ＝３（秒）にて仮停止する。然る後、右図柄群Ｒが、或る停止図柄でもって、ｔ＝６（秒）にて仮停止し、その後、中図柄群Ｍが、或る停止図柄でもって、ｔ＝９（秒）にて仮停止する。なお、各停止図柄は、ＲＡＭ５３に記憶済みの停止図柄用乱数に基づき決定される数字図柄で特定される。
【００９７】
以上のような副変動パターン１の変動表示過程において、例えば、左図柄群Ｌの停止図柄が、図１４（ｂ）にて示すごとく、数字図柄Ｌｂ＝５となり、その後３（秒）の経過でもって、右図柄群Ｒの停止図柄が、図１４（ｃ）にて示すごとく、数字図柄Ｌｂ＝５とは異なる数字図柄Ｒｂ＝７となる場合には、この段階で、大半の遊技者は液晶パネル３８の表示変動状態（図１４（ｃ）参照）に基づき、現在の遊技状態では、「外れ」になるのではないかと感じる。
【００９８】
従って、遊技者は、殆ど、操作ハンドル１１の操作を維持したままにあり、止め打ちをしようとはしない。このため、現在の遊技状態が外れになる可能性を感じていることから、遊技者によるパチンコ球の消費率、つまり、当該パチンコ機の稼働率を向上できる。なお、中図柄群は、右図柄群の上記仮停止後３（秒）にて、停止図柄Ｒｂとは異なる停止図柄Ｍｂ（例えば、３）で仮停止する。これにより、変動処理ルーチン２４０の処理が終了する。
【００９９】
この終了に伴い、主制御装置４０では、マイクロコンピュータ４０ａが、ＣＰＵ４１にて、図柄制御装置５０からそのマイクロコンピュータ５０ａにより送信される副変動パターン１の図柄変化時間ＴＭ＝９（秒）の経過を表すデータを受信して、ステップ１３０（図４参照）にてＹＥＳと判定し、ステップ１３２において、確定停止信号の送信処理をする。なお、現段階では、始動口センサ４５の入賞検出に基づく抽選結果が大当たりではないため、ステップ１４０にてＮＯとの判定がなされる。また、図柄制御装置５０では、マイクロコンピュータ５０ａは、ステップ２５０（図５参照）にて、上記確定停止信号を受信してＹＥＳと判定する。これに伴い、仮停止状態にある左図柄群、右図柄群及び中図柄群の各停止図柄が完全に停止して確定停止状態になる。
【０１００】
然る後、図柄制御プログラムが、再び、上述のように図５のステップ２１０に進んだとき、ステップ２００にて記憶済みの上記決定データ中の主変動パターンが当たり或いは外れのリーチ変動になれば、ＹＥＳとの判定がなされる。以下、当たりのリーチ変動の場合と外れのリーチ変動の場合に分けて説明する。
【０１０１】
ステップ２１０において上記決定データ中の主変動パターンが当たりのリーチ変動であるためにＹＥＳと判定された場合、ステップ２２０において、ステップ２００にて記憶済みの保留数はＨ≦２であるか否かが判定される。保留数Ｈが２よりも大きければ、ステップ２２０における判定はＮＯとなり、保留数Ｈが２以下であればステップ２２０での判定はＹＥＳとなる。
【０１０２】
上述のように、上記決定データ中の主変動パターンが当たりのリーチ変動であることを前提にＨ＞２であるためにステップ２２０でＮＯと判定された場合、ステップ２２１において、上記第３副変動パターンテーブルに基づく選択確率決定処理がなされる。
【０１０３】
このステップ２２１では、上記第３副変動パターンテーブルにおける選択確率の決定優先度は、一主変動パターンに対応する毎に、ランダムになるように設定されているものとする。現段階では、上記決定データ中の主変動パターンが主変動パターン５であるとき、上記第３副変動パターンテーブル図９参照）に基づき副変動パターン５−１乃至５−４のうち副変動パターン５−４に対応する選択確率ＱＳ＝５（％）に決定されるものとする。この決定に伴い、ステップ２３０において、上記第３副変動パターンテーブルから上記選択確率ＱＳ＝５（％）に基づき副変動パターン５−４が選択される。
【０１０４】
しかして、次の変動処理ルーチン２４０において、副変動パターン５−４が、その左図柄群、中図柄群及び右図柄群でもって、図１３（ｄ）のタイミングチャートに従い、ＲＡＭ５３に記憶済みの図柄表示用乱数に基づき決定した数字０乃至９からなる一連の図柄（ＲＯＭ５２に予め記憶済み）にて図柄変化することで変動するように処理される。この処理に伴い、液晶パネル３８は、駆動回路３８ａによりマトリックス駆動されて、副変動パターン５−４を、その左図柄群、中図柄群及び右図柄群でもって、上記一連の図柄にて図１３（ｄ）のタイミングチャートに従い図柄変化することで変動表示する。
【０１０５】
この変動表示において、副変動パターン５−４の左図柄群Ｌ、中図柄群Ｍ及び右図柄群Ｒは、上述した副変動パターン１の場合と同様に図柄変化する（図１４（ａ）参照）。ここで、副変動パターン５−４の左図柄群Ｌ、中図柄群Ｍ及び右図柄群Ｒも、副変動パターン１の場合と同様に、ｔ＝０（秒）（図１３（ｄ）参照）にて図柄変化を開始する。そして、この図柄変化開始後、図１３（ｄ）にて示すごとく、左図柄群Ｌが、或る停止図柄でもって、ｔ＝３（秒）にて仮停止し、然る後、右図柄群Ｒが、或る停止図柄でもって、ｔ＝３５（秒）にて仮停止し、ついで、中図柄群Ｍが、或る停止図柄でもって、ｔ＝４１（秒）にて仮停止する。なお、各停止図柄は、副変動パターン１の場合と同様に、ＲＡＭ５３に記憶済みの停止図柄用乱数に基づき決定される数字図柄で特定される。
【０１０６】
以上のような副変動パターン５−４の変動表示過程において、例えば、左図柄群Ｌの停止図柄が、図１５（ａ）にて示すごとく、数字図柄Ｌｂ＝７となり、その後３０（秒）の経過でもって、右図柄群Ｒの停止図柄が、図１５（ｂ）にて示すごとく、数字図柄Ｌｂ＝７と同様の数字図柄Ｒｂ＝７となる場合には、この段階で、大半の遊技者は液晶パネル３８の表示変動状態（図１５（ｂ）参照）に基づき、現在の遊技状態によれば、当たりになるのではないかと感じ、パチンコ球の余分な消費を無くすように止め打ちをしようとする。
【０１０７】
しかし、当該当たりのリーチ変動では、中図柄群の左図柄群の仮停止後の図柄変化時間を３０（秒）と長くとるので、リーチになる前の図柄変化時間が、従来よりもかなり長い。また、殆どの遊技者は、リーチになる前に止め打ちを行うことはない。従って、リーチになる前の時間においては、当該パチンコ機の稼働率を、従来に比べ、大幅に向上できる。さらに、右図柄群の仮停止後中図柄群の仮停止までの時間に相当するリーチ変動時間は、６（秒）と、従来よりもかなり短い。このため、遊技者が当たりを予測して止め打ちを行っても、リーチ変動時間における当該パチンコ機の稼働率の低下を大幅に抑制できる。なお、当該リーチ変動は当たりであるから、中図柄群は停止図柄Ｒｂと同様の停止図柄Ｍｂ＝７で仮停止する。これにより、変動処理ルーチン２４０の処理が終了する。
【０１０８】
この終了に伴い、主制御装置４０では、マイクロコンピュータ４０ａが、ＣＰＵ４１にて、図柄制御装置５０からそのマイクロコンピュータ５０ａにより送信される副変動パターン５−４の図柄変化時間ＴＭ＝４１（秒）の経過を表すデータを受信して、ステップ１３０（図４参照）にてＹＥＳと判定し、ステップ１３２において、確定停止信号の送信処理をし、これに対応して、図柄制御装置５０では、マイクロコンピュータ５０ａは、ステップ２５０にてＹＥＳと判定する。
【０１０９】
上述のようにステップ１３２（図４参照）での確定停止信号の送信処理が終了すると、ステップ１４０において、大当たりか否かが判定される。現段階にて、大入賞口装置３０ｃにおける例えば特別検出口へのパチンコ球の入賞がＶゾーンセンサ４６により検出されていれば、大当たりであることから、当該ステップ１４０での判定がＹＥＳとなり、大当たり処理ルーチン１５０にて、大当たり処理がなされる。
【０１１０】
また、上述のように、上記決定データ中の主変動パターンが当たりのリーチ変動であることを前提にＨ≦２であるためにステップ２２０でＹＥＳと判定された場合、ステップ２２２において、上記第２副変動パターンテーブルに基づく選択確率決定処理がなされる。
【０１１１】
このステップ２２２では、上記第２副変動パターンテーブルにおける選択確率の決定優先度は、ステップ２２１の場合と同様に、一主変動パターンに対応する毎に、ランダムになるように設定されているものとする。
【０１１２】
現段階では、上記決定データ中の主変動パターンが上述と同様に主変動パターン５であるとき、上記第２副変動パターンテーブル（図８参照）に基づき副変動パターン５−１乃至５−４のうち副変動パターン５−４に対応する選択確率ＱＳ＝２２（％）に決定されるものとする。この決定に伴い、ステップ２３０において、上記第２副変動パターンテーブルから上記選択確率ＱＳ＝２２（％）に基づき副変動パターン５−４が選択される。
【０１１３】
その後は、図柄制御プログラムにおける変動処理ルーチン２４０以後の処理及び主制御プログラムのステップ１３０以後の処理が、保留数Ｈ＞２の場合と同様になされる。その結果、保留数Ｈ≦２の場合にも、保留数が残り少ないにもかかわらず、上述した保留数Ｈ＞２の場合と同様の作用効果を達成できる。
【０１１４】
一方、上述のように、上記決定データ中の主変動パターンが外れのリーチ変動になることを前提にＨ＞２であるためにステップ２２０でＮＯと判定された場合、ステップ２２１において、上記第３副変動パターンテーブルに基づく選択確率決定処理がなされる。
【０１１５】
現段階では、上記決定データ中の主変動パターンが主変動パターン４であるとき、上記第３副変動パターンテーブル（図９参照）に基づき副変動パターン４−１乃至４−４のうち副変動パターン４−４に対応する選択確率ＱＳ＝３（％）に決定されるものとする。この決定に伴い、ステップ２３０において、上記第３副変動パターンテーブルから上記選択確率ＱＳ＝３（％）に基づき副変動パターン４−４が選択される。
【０１１６】
しかして、次の変動処理ルーチン２４０において、副変動パターン４−４が、その左図柄群、中図柄群及び右図柄群でもって、図１２（ｄ）のタイミングチャートに従い、ＲＡＭ５３に記憶済みの図柄表示用乱数に基づき決定した数字０乃至９からなる一連の図柄（ＲＯＭ５２に予め記憶済み）の図柄変化にて、変動するように処理される。この処理に伴い、液晶パネル３８は、駆動回路３８ａによりマトリックス駆動されて、副変動パターン４−４を、その左図柄群、中図柄群及び右図柄群でもって、上記一連の図柄の図柄変化にて、図１２（ｄ）のタイミングチャートに従い変動表示する。
【０１１７】
この変動表示において、副変動パターン４−４の左図柄群Ｌ、中図柄群Ｍ及び右図柄群Ｒは、上述した副変動パターン１の場合と同様に図柄変化する（図１４（ａ）参照）。ここで、副変動パターン４−４の左図柄群Ｌ、中図柄群Ｍ及び右図柄群Ｒも、副変動パターン１の場合と同様に、ｔ＝０（秒）（図１２（ｄ）参照）にて図柄変化を開始する、そして、この図柄変化開始後、図１２（ｄ）にて示すごとく、左図柄群Ｌが或る停止図柄でもって、ｔ＝３（秒）にて仮停止し、然る後、右図柄群Ｒが、或る停止図柄でもって、ｔ＝２５（秒）にて仮停止し、ついで、中図柄群Ｍが、或る停止図柄でもって、ｔ＝３５（秒）にて仮停止する。なお、各停止図柄は、副変動パターン１の場合と同様に、ＲＡＭ５３に記憶済みの停止図柄用乱数に基づき決定される数字図柄で特定される。
【０１１８】
以上のような副変動パターン４−４の変動表示過程において、例えば、左図柄群Ｌの停止図柄が、図１５（ａ）にて示すごとく、数字図柄Ｌｂ＝７となり、その後２２（秒）の経過でもって、右図柄群Ｒの停止図柄が、図１５（ｂ）にて示すごとく、数字図柄Ｌｂ＝７とと同様の数字図柄Ｒｂ＝７となる場合には、この段階で、大半の遊技者は液晶パネル３８の表示変動状態（図１５（ｂ）参照）に基づき、現在の遊技状態によれば、当たりになるのではないかと感じ、パチンコ球の余分な消費を無くすように止め打ちをしようとする。
【０１１９】
しかし、当該外れのリーチ変動では、中図柄群の左図柄群の仮停止後の図柄変化時間を２２（秒）と長くとるので、リーチになる前の図柄変化時間が、従来よりもかなり長い。また、殆どの遊技者は、リーチになる前に止め打ちを行うことはない。従って、リーチになる前の時間においては、当該パチンコ機の稼働率を、従来に比べ、大幅に向上できる。さらに、右図柄群の仮停止後中図柄群の仮停止までの時間に相当するリーチ変動時間は、１０（秒）と、従来よりもかなり短い。このため、遊技者が当たりを予測して止め打ちを行っても、リーチ変動時間における当該パチンコ機の稼働率の低下を大幅に抑制できる。なお、当該リーチ変動は外れであるから、中図柄群は停止図柄Ｒｂと異なるある停止図柄Ｍｂ（例えば、６）で停止する。これにより、変動処理ルーチン２４０の処理が終了する。
【０１２０】
この終了に伴い、主制御装置４０では、マイクロコンピュータ４０ａが、ＣＰＵ４１にて、図柄制御装置５０からそのマイクロコンピュータ５０ａにより送信される副変動パターン４−４の図柄変化時間ＴＭ＝３５（秒）の経過を表すデータを受信して、ステップ１３０（図４参照）にてＹＥＳと判定し、ステップ１３２において、確定停止信号の送信処理をし、これに対応して、図柄制御装置５０では、マイクロコンピュータ５０ａは、ステップ２５０にてＹＥＳと判定する。その後の処理は、上述と同様である。
【０１２１】
また、上述のように、上記決定データ中の主変動パターンが外れのリーチ変動であることを前提にＨ≦２であるためにステップ２２０でＹＥＳと判定された場合、ステップ２２２において、上記第２副変動パターンテーブルに基づく選択確率決定処理がなされる。
【０１２２】
現段階では、上記決定データ中の主変動パターンが上述と同様に主変動パターン４であるとき、上記第２副変動パターンテーブル（図８参照）に基づき副変動パターン４−１乃至４−４のうち副変動パターン４−４に対応する選択確率ＱＳ＝２０（％）に決定されるものとする。この決定に伴い、ステップ２３０において、上記第２副変動パターンテーブルから上記選択確率ＱＳ＝２０（％）に基づき副変動パターン４−４が選択される。
【０１２３】
その後は、図柄制御プログラムにおける変動処理ルーチン２４０以後の処理及び主制御プログラムのステップ１３０以後の処理が、保留数Ｈ＞２の場合と同様になされる。その結果、保留数Ｈ≦２の場合にも、保留数が残り少ないにもかかわらず、上述した保留数Ｈ＞２の場合と同様の作用効果を達成できる。
【０１２４】
さらに、上述のように表示装置３０ｄによる液晶パネル３８の表示状態が副変動パターン５−４のリーチ変動から副変動パターン４−４のリーチ変動に移行するが、副変動パターン５−４において右図柄群が左図柄群の図柄変化の仮停止後に仮停止するまでの時間が副変動パターン４−４において右図柄群が左図柄群の図柄変化の仮停止後に仮停止するまでの時間と異なる。このことは、右図柄群の仮停止時期が可変となり変化することを意味する。
【０１２５】
このため、大半の遊技者は、当たりを予測した止め打ちをしようとしても、止め打ちをするタイミングを容易には判断できず、結果として、止め打ちをすることなく、パチンコ球の打ち出しをそのまま継続することとなる。従って、当該パチンコ機の稼働率の低下を効果的に抑制できる。このような作用効果は、上述したステップ２２１での処理後の変動処理ルーチン２４０の図柄処理の作用効果や上述したステップ２２２での処理後の変動処理ルーチン２４０の図柄処理の作用効果と相まって達成される。
【０１２６】
また、本実施形態では、上述のように、主制御装置４０において、マイクロコンピュータ４０ａが図３及び図４のフローチャートに基づく処理をし、図柄制御装置５０において、マイクロコンピュータ５０ａが図５のフローチャートに基づく処理をする。換言すれば、図３乃至図５のフローチャートに基づく処理が主制御装置４０と図柄制御装置５０とにより分担してなされる。従って、パチンコ機の全体を総括する主制御装置４０の処理内容を軽減できる。
【０１２７】
なお、本発明の実施にあたり、上記実施形態とは異なり、上記第２副変動パターンテーブルの各副変動パターンにおいて右図柄群が左図柄群の仮停止後仮停止するまでの変動時間が、上記第３副変動パターンテーブルの各副変動パターン（上記第２副変動パターンテーブルの各副変動パターンに対応）において右図柄群が左図柄群の仮停止後仮停止するまでの変動時間よりも短く、かつ上記第２副変動パターンテーブルの各副変動パターンにおいて中図柄群が右図柄群の仮停止後仮停止するまでの変動時間が、上記第３副変動パターンテーブルの各副変動パターン（上記第２副変動パターンテーブルの各副変動パターンに対応）において中図柄群が右図柄群の仮停止後仮止するまでの変動時間よりも短くなるように設定してもよい。
【０１２８】
これに基づく処理が上述と同様になされれば、保留数Ｈが一定数（２）以下と少ないにもかかわらず、遊技者に打ち止めをされることで招いていた遊技機の稼働率の低下を有効に抑制しつつ上記実施形態にて述べた作用効果を達成できる。
【０１２９】
また、本発明の実施にあたり、上記実施形態にて述べた主変動パターン１において、図柄変化時間ＴＭを２６（秒）に変更することで中図柄群の仮停止時点を２６（秒）に変更し、さらに、上記第１副変動パターンテーブルにおいて、両副変動パターン１−１、１−２を上記変更後の主変動パターン１に対応するように設定してもよい。ここで、副変動パターン１−１は、上記変更後の主変動パターン１に相当し、副変動パターン１−２は、上記変更後の主変動パターン１において、右図柄群の仮停止時点を２０（秒）と変更した構成となっている。また、例えば、副変動パターン１−１に対する選択確率をＱＳ＝５（％）に設定し、副変動パターン１−２に対する選択確率をＱＳ＝９５（％）に設定する。
【０１３０】
しかして、ステップ２１１において、上記第１副変動パターンテーブルに基づき選択確率がＱＳ＝９５（％）に決定されると、ステップ２３０において、上記第１副変動パターンテーブルに基づき副変動パターン１−２が選択される。すると、変動処理ルーチン２４０において、副変動パターン１−２が、右図柄群及び中図柄群の各仮停止時点（２０（秒）、２６（秒））を除き、上記実施形態にて述べた副変動パターン１と同様の図柄変化でもって、変動するように処理され、この処理内容が液晶パネル３８により表示される。
【０１３１】
このような表示過程では、右図柄群の仮停止時点が上記実施形態にて述べた副変動パターン１の右図柄群の仮停止時点よりも遅れるが、このような段階では、遊技者にとり当たりか外れか不明なため、止め打ちを行うことなく、パチンコ球の打ち出しが継続される。その後、副変動パターン１−２では、右図柄群が左図柄群の停止図柄とは異なる停止図柄で仮停止するが、遊技者は外れとの予感をもつので、パチンコ球は、打ち止めをされることなく、そのまま継続的に打ち出される。
【０１３２】
従って、上記実施形態にて述べた副変動パターン１よりも右図柄群の仮停止時点が遅くも、パチンコ球の打ち止めはなく、当該パチンコ機の稼働率の低下を招くことはない。
【０１３３】
また、上記実施形態では、上記決定データ中の主変動パターンが通常変動の場合の処理後に、当該主変動パターンが当たりのリーチ変動となりその後に外れのリーチ変動になる場合の処理をする例について説明したが、これらの順序はどのように変わっても、上記実施形態と同様の作用効果を達成できる。
【０１３４】
また、上記実施形態では、主変動パターン４及び５に対応して副変動パターン４−４及び５−４が選択される例について説明したが、これに限ることなく、主変動パターン４に対応して副変動パターン４−１乃至４−３のいずれかが選定されてもよく、また、主変動パターン５に対応して副変動パターン５−１乃至５−３のいずれかが選定されてもよく、これによっても、リーチ変動に対し上記実施形態にて述べたと実質的に同様の作用効果を達成できる。
【０１３５】
また、本発明の実施にあたり、主変動パターン１、４、５に限ることなく、残りの主変動パターン２、３、６、７の各に対応する各４種類の副変動パターンのいずれかを順次選択するようにしてもよく、これによっても、上記実施形態にて述べたと作用効果と実質的に同様の作用効果を達成できる。
【０１３６】
また、本発明の実施にあたり、各ステップ２２１、２２２における選択確率の決定優先度は上述のごとくランダムとなるようにかつ同一の副変動パターンに対応する選択確率を連続して決定しないように設定されていれば、ステップ２１１、２２２で決定される選択確率に対応してステップ２３０で選択される副変動パターンは連続して同一のものになることがない。従って、図柄制御プログラムが図５のフローチャートに従い繰り返し実行される過程において、ステップ２３０で選択される副変動パターンは連続して同一のものになることはない。
【０１３７】
従って、連続する各副変動パターンにおける右図柄群の左図柄群の仮停止後に仮停止するまでの時間が順次変化することとなる。このため、当たりを予測した止め打ちに入るタイミングの判断が困難となる。よって、遊技者は止め打ちを行うことなくパチンコ球の打ち出しを継続することとなり、当該パチンコ機の稼働率の向上に役立つ。
【０１３８】
また、本発明の実施にあたり、図５のフローチャートにおいて、ステップ２２０を廃止して、ステップ２１０でのＹＥＳとの判定に伴い、ステップ２２１の処理をするようにしてもよく、また、ステップ２２２の処理をするようにしてもよい。この場合には、保留数Ｈの値に関係なく、ステップ２２１或いはステップ２２の処理を行うこととなる。
【０１３９】
また、本発明の実施にあたり、ステップ２２０での判定基準は、保留数Ｈ＝２に限ることなく、適宜変更してもよく、例えば、Ｈ≦１或いはＨ≦３を、Ｈ≦２に代えて上記判定基準として採用してもよい。
【０１４０】
また、本発明の実施にあたり、図６の大当たり時主変動パターンテーブルや図７の外れ時主変動パターンテーブルにおいて、主変動パターン１乃至７の各の図柄変化時間ＴＭや選択確率ＰＳは、適宜変更してもよい。
【０１４１】
また、本発明の実施にあたり、図８の第２副変動パターンテーブルや図９の第３副変動変動パターンテーブルにおいて、各副変動パターンに対応する選択確率ＱＳは適宜変更してもよく、また、各主変動パターンに対応する副変動パターンの種類数は、４種類に限ることなく適宜変更してもよい。
【０１４２】
また、本発明の実施にあたり、上記実施形態にて述べた第１乃至第３の副変動パターンテーブルは、図柄制御装置５０のＲＯＭ５２に代えて、主制御装置４０のＲＯＭ４２に予め記憶するようにしてもよい。
【０１４３】
また、本発明の実施にあたり、各主変動パターンにおける右図柄群の仮停止時点や各副変動パターンにおける右図柄群の仮停止時点は、上記実施形態にて述べたものに限ることなく、適宜変更してもよい。
【０１４４】
また、本発明の実施にあたり、左図柄群の仮停止時点をも可変にしてもよい。この場合、右図柄群が左図柄群の仮停止後仮停止するまでの図柄変化時間を、中図柄群が右図柄群の仮停止後仮停止するまでの図柄変化時間よりも長くするように当該左図柄群及び右図柄群の少なくとも一方の仮停止時点を遊技者の遊技状態に応じて可変にすることで変化させるようにしてもよい。
【０１４５】
また、本発明の実施にあたり、右図柄群及び中図柄群の仮停止順序を上記実施形態とは逆にして、中図柄群の仮停止時点に対し上記実施形態にて述べた左図柄群の仮停止後の右図柄群の仮停止時点までの時間を適用し、かつ、右図柄群の仮停止時点に対し上記実施形態にて述べた右図柄群の仮停止後の中図柄群の仮停止時点までの時間を適用するようにしてもよい。
【０１４６】
また、本発明の実施にあたり、主変動パターンの種類は、上記実施形態にて述べたように７種類に限ることなく、適宜変更してもよい。
【０１４７】
また、上記実施形態においては、主変動パターン１に１種類の副変動パターンを対応させ、主変動パターン２乃至７の各にはそれぞれ４種類の副変動パターンを対応させる例について説明したが、各主変動パターンに対応させる副変動パターンの種類の数は、適宜変更してもよい。
【０１４８】
また、本発明の実施にあたり、上記実施形態とは異なり、第１副変動パターンテーブルにおいて、主変動パターン１自体を副変動パターン１としてもよく、また、第２及び第３の各副変動パターンテーブルにおいて、例えば、主変動パターン４自体を副変動パターン４−１とし、主変動パターン５自体を副変動パターン５−１としてもよい。これによれば、主変動パターン４と各副変動パターン４−２、４−３及び４−４との組み合わせが副変動パターン４−１、４−２、４−３及び４−４の組み合わせに相当し、主変動パターン５と各副変動パターン５−２、５−３及び５−４との組み合わせが副変動パターン５−１、５−２、５−３及び５−４の組み合わせに相当する。残りの主変動パターン２、３、６、７の各においても同様である。これによっても、上記実施形態と同様の作用効果を達成できる。
【０１４９】
また、本発明の実施にあたり、例えば、主変動パターン４に関連付けられる副変動パターン４−１、４−２、４−３及び４−４をリーチ変動Ｃに対応する互いに独立の変動パターンとするように、各主変動パターンにそれぞれ関連付けられる複数の副変動パターンを互いに独立の変動パターンとし、これら各変動パターンから始動口への入賞検出に基づく抽選により一変動パターンを選択し、この一変動パターンを変動処理するようにしてもよい。
【０１５０】
また、上記実施形態では、第２及び第３の各副変動パターンテーブル（図８及び図９参照）において、一副変動パターンに対し単一の選択率ＱＳを対応させる例について説明したが、これに限らず、一副変動パターンに対し複数の互いに異なる選択率ＱＳを対応させて、当該一副変動パターンを選択する選択率を遊技の状態に応じて変更するようにしてもよい。
【０１５１】
また、本発明の実施にあたり、左図柄群、中図柄群及び右図柄群は、０乃至９からなる複数の数字図柄に限ることなく、他の数字からなる複数の数字図柄で構成してもよく、また、数字以外の複数の文字や絵で構成してもよい。
【０１５２】
また、本発明の実施にあたり、主変動パターンや副変動パターンは、上記実施形態の場合のように左図柄群、右図柄群及び中図柄群の３つの図柄群に限ることなく、一般に、４つの図柄群その他の複数の図柄群で構成するようにしてもよい。この場合、当該複数の図柄群のうち最後に停止する図柄群が上記実施形態にて述べた中図柄群に対応し、上記複数の図柄群のうち最後に仮停止する図柄群に先行して停止する図柄群であって上記最後に仮停止する図柄群の仮停止時点に最も近い時点で仮停止する図柄群が上記実施形態にて述べた右図柄群に対応する。
【０１５３】
また、上記実施形態では、左図柄群、中図柄群及び右図柄群の各停止図柄が同一のとき当たりとし、当該各停止図柄のうち少なくとも１つが残りの停止図柄と異なるとき外れとする例について説明したが、これに代えて、左図柄群、中図柄群及び右図柄群の各停止図柄が所定の組み合わせに合致したとき当たりとし、合致しないとき外れとするようにしてもよい。
【０１５４】
また、本発明の実施にあたり、上記実施形態にて述べた主変動パターンテーブル並びに第２及び第３の副変動パターンテーブルは、ＲＯＭ４２、５２に限ることなく、適宜な外部メモリに記憶するようにしてもよい。
【０１５５】
また、本発明の実施にあたり、液晶パネル３８に代えて、例えば、ＥＬパネルやＣＲＴであってもよい。
【０１５６】
また、本発明の実施にあたり、表示装置３０ｄは、遊技盤Ｐｐに限ることなく、パチンコ機本体Ｐｂに設けるようにしてもよい。
【０１５７】
また、本発明の実施にあたり、スロットマシンにおけるコインの打ち止めの防止に対し本発明を適用してもよい。なお、上記コインやパチンコ球等の遊技球を含めて遊技媒体という。
【図面の簡単な説明】
【図１】本発明に係るパチンコ装置の一実施形態を前面から見た状態を示す概略構成図である。
【図２】上記パチンコ装置のブロック回路図である。
【図３】図２の主制御装置のマイクロコンピュータがＣＰＵにより実行する主制御プログラムを表すフローチャートの前段部である。
【図４】上記主制御プログラムを表すフローチャートの後段部である。
【図５】図２の図柄制御装置のマイクロコンピュータがＣＰＵにより実行する図柄制御プログラムを表すフローチャートである。
【図６】当たり時主変動パターンテーブルを示す図表である。
【図７】外れ時主変動パターンテーブルを示す図表である。
【図８】第２副変動パターンテーブルを示す図表である。
【図９】第３副変動パターンテーブルを示す図表である。
【図１０】（ａ）、（ｂ）及び（ｃ）は、それぞれ、主変動パターン１、４及び５の変動を表す各タイミングチャートである。
【図１１】（ａ）及び（ｂ）は、それぞれ、副変動パターン１−１及び１−２の変動を表す各タイミングチャートである。
【図１２】（ａ）、（ｂ）、（ｃ）及び（ｄ）は、それぞれ、副変動パターン４−１、４−２、４−３及び４−４の変動を表す各タイミングチャートである。
【図１３】（ａ）、（ｂ）、（ｃ）及び（ｄ）は、それぞれ、副変動パターン５−１、５−２、５−３及び５−４の変動を表す各タイミングチャートである。
【図１４】（ａ）、（ｂ）及び（ｃ）は、それぞれ、左図柄群、中図柄群及び右図柄群が共に図柄変化状態にある場合、中図柄群及び右図柄群だけが共に図柄変化状態にある場合、及び中図柄群のみが図柄変化状態にある場合の液晶パネルによる表示例示図である。
【図１５】（ａ）及び（ｂ）は、それぞれ、中図柄群及び右図柄群だけが共に図柄変化状態にある場合、及び中図柄群のみが図柄変化状態にある場合の液晶パネルによる他の表示例示図である。
【図１６】（ａ）及び（ｂ）は、それぞれ、従来の通常変動及びリーチ変動の場合の左図柄群、中図柄群及び右図柄群の図柄変化を示す各タイミングチャートである。
【符号の説明】
Ｌ…左図柄群、Ｈ…保留数、Ｌｂ、Ｒｂ、Ｍｂ…停止図柄、Ｍ…中図柄群、
Ｒ…右図柄群、Ｐｐ…遊技盤、１乃至７…主変動パターン、
４−２乃至４−４、５−２乃至５−４…副変動パターン、３０…盤本体、
３０ｄ…表示装置、３８…液晶パネル、４０…主制御装置、４１、５１…ＣＰＵ、
５０…図柄制御装置。
【図１】
2004073410.tif 000003
【図２】
2004073410.tif 000004
【図３】
2004073410.tif 000005
【図４】
2004073410.tif 000006
【図５】
2004073410.tif 000007
【図６】
2004073410.tif 000008
【図７】
2004073410.tif 000009
【図８】
2004073410.tif 000010
【図９】
2004073410.tif 000011
【図１０】
2004073410.tif 000012
【図１１】
2004073410.tif 000013
【図１２】
2004073410.tif 000014
【図１３】
2004073410.tif 000015
【図１４】
2004073410.tif 000016
【図１５】
2004073410.tif 000017
【図１６】
2004073410.tif 000018